【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
インジェクションポートアセンブリであって、
第１のコネクタと嵌まり合うように構成された第１の嵌合構造と、前記第１の嵌合構造に結合されて、第２のコネクタと嵌まり合うように構成された第２の嵌合構造と、を有する本体と、
前記本体内に実質的に内包され、前記第１のコネクタと前記第２のコネクタとの間の流体の流れを遮断する低圧縮の第１の位置から、前記第１のコネクタと前記第２のコネクタとの間で流体が流れることを許容する高圧縮の第２の位置に圧縮可能である弾力性バリアと、
を備え、
前記第２の嵌合構造は、横方向に内向きに伸びる遠位端フランジを有する遠位本体端部を含み、前記遠位端フランジは、第１の内側テーパ本体表面と、前記第１の内側テーパ本体表面に近接して位置決めされた第２の内側テーパ本体表面とを規定し、
前記弾力性バリアは、第１のシール表面および第２のシール表面を伴う弾力性バリア遠位端部を含み、前記第１のシール表面および第２のシール表面はいずれも、前記弾力性バリアの円周全体に延びており、
前記第２の嵌合構造の前記第１の内側テーパ本体表面及び前記第２の内側テーパ本体表面は、前記弾力性バリアが低圧縮の前記第１の位置にあるときに、それぞれ前記弾力性バリアの前記第１のシール表面及び前記第２のシール表面に対して圧縮力を及ぼすように構成され、
前記弾力性バリアは、前記第２の嵌合構造が前記第１の嵌合構造と結合されるときに、前記第１の嵌合構造と前記第２の嵌合構造との間で圧縮されるように構成されたシールフランジを含む、アセンブリ。
【請求項２】
請求項１に記載のアセンブリであって、
前記第２の嵌合構造の前記遠位本体端部上の前記第１の内側テーパ本体表面は、開口幅を有する開口を規定し、
前記弾力性バリア遠位端部は、非圧縮バリア遠位端幅を有し、前記弾力性バリアが低圧縮の前記第１の位置にあるときに、前記開口内に位置決めされ、
前記非圧縮バリア遠位端幅対前記開口幅の比率は、１よりも大きい、アセンブリ。
【請求項３】
請求項１または２に記載のアセンブリであって、
前記第１の内側テーパ本体表面は基部方向に向かって狭くなり、前記第２の内側テーパ本体表面は基部方向に向かって広がり、
前記第１のシール表面は前記第２のシール表面と交差する、アセンブリ。
【請求項４】
請求項１ないし３のいずれか１項に記載のアセンブリであって、
前記弾力性バリアが低圧縮の前記第１の位置にあるとき、前記第１の内側テーパ本体表面の全体が前記弾力性バリアと密封結合している、アセンブリ。
【請求項５】
請求項１ないし４のいずれか１項に記載のアセンブリであって、
前記第２の嵌合構造の前記第１の内側テーパ本体表面は開口を規定し、
前記弾力性バリアが低圧縮の前記第１の位置にあるとき、前記開口の全体が前記弾力性バリア遠位端部で塞がれている、アセンブリ。
【請求項６】
請求項１ないし５のいずれか１項に記載のアセンブリであって、
前記第１の嵌合構造から延びて、前記弾力性バリア内に配置される中空カニューレをさらに備え、前記中空カニューレは最遠位カニューレ端を有しており、
前記第２の嵌合構造の、前記第１の内側テーパ本体表面の全体および前記第２の内側テーパ本体表面の少なくとも一部は、前記中空カニューレの前記最遠位カニューレ端よりも遠位に位置する、アセンブリ。
【請求項７】
請求項１ないし６のいずれか１項に記載のアセンブリであって、
前記第１の内側テーパ本体表面は、前記第２の嵌合構造の前記第２の内側テーパ本体表面よりも軸方向に長い、アセンブリ。
【請求項８】
請求項１ないし７のいずれか１項に記載のアセンブリであって、
前記第２の嵌合構造の前記遠位本体端部は、前記第１の内側テーパ本体表面よりも遠位に形成された陥入凹状リングを含む、アセンブリ。
【請求項９】
請求項８に記載のアセンブリであって、
前記弾力性バリアが低圧縮の前記第１の位置にあるとき、前記弾力性バリアの最遠位端面は、前記陥入凹状リングの底部と同一面にある、アセンブリ。
【請求項１０】
請求項１ないし９のいずれか１項に記載のアセンブリであって、
前記弾力性バリアが低圧縮の前記第１の位置にあるとき、前記弾力性バリアの最遠位端面は、前記第２の嵌合構造の最遠位端面から陥入している、アセンブリ。
【請求項１１】
インジェクションポートアセンブリであって、
第１の嵌合構造と第２の嵌合構造を有し、本体内部空間を規定する本体であって、前記第２の嵌合構造は、第１の内側テーパ本体表面および前記第１の内側テーパ本体表面に隣接しかつ基部側にある第２の内側テーパ本体表面を含む遠位本体端部を有し、前記第１の内側テーパ本体表面は基部方向に向かって狭くなり、前記第２の内側テーパ本体表面は基部方向に向かって広がる本体と、
前記本体内に実質的に内包され、前記インジェクションポートアセンブリを通る流体の流れを遮断する低圧縮の第１の位置から、前記インジェクションポートアセンブリを通って流体が流れることを許容する高圧縮の第２の位置に圧縮可能である弾力性バリアであって、内部空洞を有しており、前記第２の嵌合構造の前記第１および第２の内側テーパ本体表面と相補的な、第１および第２の対向テーパバリアシール表面を含む遠位端部を有する、弾力性バリアと、
前記第１の嵌合構造から前記弾力性バリアの前記内部空洞に延びる中空カニューレであ
って、前記弾力性バリアが高圧縮の前記第２の位置にあるときに前記弾力性バリアを通過して延びる遠位カニューレ端部を有しており、前記遠位カニューレ端部は内部に１つ以上の流体通過開口を有している、中空カニューレと、
を有する、アセンブリ。
【請求項１２】
請求項１１に記載のアセンブリであって、
前記弾力性バリアが低圧縮の前記第１の位置にあるとき、前記弾力性バリアと前記第２の嵌合構造との間の密封係合は、前記第１の内側テーパ本体表面から前記第２の内側テーパ本体表面へ連続的に延びる、アセンブリ。
【請求項１３】
請求項１１または１２に記載のアセンブリであって、
前記弾力性バリアが低圧縮の前記第１の位置にあるとき、前記第１の内側テーパ本体表面の全体が前記弾力性バリアと密封結合している、アセンブリ。
【請求項１４】
請求項１１ないし１３のいずれか１項に記載のアセンブリであって、
前記第１の内側テーパ本体表面は開口を規定し、
前記弾力性バリアが低圧縮の前記第１の位置にあるとき、前記開口の全体が前記弾力性バリアの遠位端部で塞がれている、アセンブリ。
【請求項１５】
請求項１１ないし１４のいずれか１項に記載のアセンブリであって、
前記第１の内側テーパ本体表面の全体および前記第２の内側テーパ本体表面の少なくとも一部は、前記中空カニューレの最遠位端部よりも遠位に配置される、アセンブリ。
【請求項１６】
請求項１１ないし１５のいずれか１項に記載のアセンブリであって、
前記第１の内側テーパ本体表面は、前記第２の内側テーパ本体表面よりも軸方向に長い、アセンブリ。
【請求項１７】
請求項１１ないし１６のいずれか１項に記載のアセンブリであって、
前記遠位本体端部は、前記第１の内側テーパ本体表面よりも遠位に形成された陥入凹状リングを含む、アセンブリ。
【請求項１８】
請求項１７に記載のアセンブリであって、
前記弾力性バリアが低圧縮の前記第１の位置にあるとき、前記弾力性バリアの最遠位端面は、前記陥入凹状リングの底部と同一面にある、アセンブリ。